(57)【要約】【課題】  被収納物を収納した状態と、被収納物を収納していない状態とでは、収納用トレーの向きを変えずに収納用トレーの上下間の隙間を調整でき、且つ高い強度を維持できる。  【解決手段】  平面視四角形状であって、被収納物を収納する収納凹部３２が複数形成され、四辺のうちの対向する二辺の外周縁部の上端から外方に向けて延びる折り曲げ片４０が形成され、折り曲げ片４０は、外周縁部の外側の第１折り曲げ個所４３において鉛直下向きに折り曲げられる第１折り曲げ片４２と、各収納凹部３２のうちのいずれかの底面位置と同一の高さ位置の第２折り曲げ個所４５において、第１折り曲げ片４２の先端側を収納凹部３２の底面下側に位置するように折り曲げられる第２折り曲げ片４４とを有する。【選択図】        図１
2017159940.tif 000002
【特許請求の範囲】
【請求項１】
平面視四角形状であって、
被収納物を収納する収納凹部が複数形成され、
四辺のうちの対向する二辺の外周縁部の上端から外方に向けて延びる折り曲げ片が形成され、
該折り曲げ片は、
外周縁部の外側の第１折り曲げ個所において鉛直下向きに折り曲げられる第１折り曲げ片と、
各前記収納凹部のうちのいずれかの底面位置と同一の高さ位置の第２折り曲げ個所において、前記第１折り曲げ片の先端側を前記収納凹部の底面下側に位置するように折り曲げられる第２折り曲げ片とを有することを特徴とする収納用トレー。
【請求項２】
前記第２折り曲げ片と、該第２折り曲げ片の上面に位置する各前記収納凹部のうちのいずれかの前記収納凹部の底面との間には、前記第２折り曲げ片を折り曲げた際に互いに着脱可能に嵌合する嵌合部を設けたことを特徴とする請求項１記載の収納用トレー。
【請求項３】
前記嵌合部は、
前記第２折り曲げ片に形成され、前記第２折り曲げ片を折り曲げた際に各前記収納凹部のうちのいずれかの前記収納凹部の底面側に向けて突出する嵌合凸部と、
各前記収納凹部のうちのいずれかの前記収納凹部に形成され、前記嵌合凸部を収納可能な嵌合凹部とを有することを特徴とする請求項２記載の収納用トレー。
【請求項４】
前記第１折り曲げ片には、
前記第１折り曲げ片を折り曲げた際に下方に向けて延びる強度維持用のリブが1又は複数形成されていることを特徴とする請求項１〜請求項３のうちのいずれか１項記載の収納用トレー。
【請求項５】
前記第１折り曲げ個所及び前記第２折り曲げ個所には、ミシン目が形成されていることを特徴とする請求項１〜請求項４のうちのいずれか１項記載の収納用トレー。
【発明の詳細な説明】
【技術分野】
【０００１】
本発明は、被収納物を収納する収納凹部が形成された、収納用トレーに関する。
【背景技術】
【０００２】
電子部品等を保管・運送する際には、電子部品等の被収納物を収納可能となるように複数の収納凹部が形成された収納用トレーが用いられる。かかる収納用トレーとしては、ポリプロピレン、ポリスチレン、ＰＥＴ等の合成樹脂を真空成形することによって形成されることが一般的である。
【０００３】
例えば、特許文献１に示す収納用トレーによれば、被収納物を収納時には上下に積み重ねる収納用トレーの向きを１８０°回転させることによって、被収納物が上下のトレーに当接しないように上下間で十分な間隔を確保できる。また、被収納物が収納されていない時には、積み重ねる収納用トレーの向きを揃えて積み重ね時の上下方向の間隔を狭くすることができる。再度使用するために複数枚積み重ねて運送元に送り返される場合や、倉庫に収納する場合に、上下方向の間隔を狭くして積み重ねることにより、空間占有率を小さくすることができる。
【０００４】
被収納物が電子部品である場合、電子部品はプリント基板等に実装する自動機によって収納用トレーから取り出される。しかし、収納用トレーを積み重ねて配置され、収納用トレーが上下間で１８０°異なる向きに収納されている場合には、ピックアップの前に収納用トレーの向きを１８０°回転させて揃えなければならず、人手による手間がかかってしまう。
【０００５】
一方、特許文献２では１８０°回転しなくても、積み重ねた場合の上下間の間隔を調整できる収納用トレーが開示されている。
特許文献２の収納用トレーは、外周縁から外方に向けて突出する隙間形成手段を有しており、この隙間形成手段は側壁部の内側に折り曲げ可能な折り曲げ片と、折り曲げた折り曲げ片の内側に突出する突設片とを備えた構成としている。
【０００６】
特許文献２の収納用トレーは、折り曲げ片が側壁部外側に折り曲げられた状態のときには、積み重ねられた収納用トレー同士の上下間の隙間が無くなり、空間占有率を下げることができる。
また、折り曲げ片を側壁部内側に折り曲げると、側壁部の内側に突設片が突出する。突設片には、下方に積み重ねた収納用トレーの外周縁部の上端面が当接する。このため、上下方向に積み重ねられた収納用トレーは、上下間で密着せずに所定の間隔をあけて配置される。
【先行技術文献】
【特許文献】
【０００７】
【特許文献１】特開２００２−３７０７４４号公報
【特許文献２】特開２００８−１００６９３号公報
【発明の開示】
【発明が解決しようとする課題】
【０００８】
特許文献２のように、１８０°回転しなくても非収納時に積み重ねて上下間の間隔を狭めることができる上記特許文献２に記載の収納用トレーにおいては、収納時に突設片が下方の収納用トレーの外周縁の上端面に当接しているだけであるので、上下間の接触面積がきわめて小さく、積み重ねた際の強度が低いという課題がある。
【０００９】
本発明は上記課題を解決すべくなされ、その目的とするところは、被収納物を収納した状態と、被収納物を収納していない状態とでは、収納用トレーの向きを変えずに収納用トレーの上下間の隙間を調整でき、且つ高い強度を維持できる構成の収納用トレーを提供することにある。
【課題を解決するための手段】
【００１０】
本発明にかかる収納用トレーによれば、平面視四角形状であって、被収納物を収納する収納凹部が複数形成され、四辺のうちの対向する二辺の外周縁部の上端から外方に向けて延びる折り曲げ片が形成され、該折り曲げ片は、外周縁部の外側の第１折り曲げ個所において鉛直下向きに折り曲げられる第１折り曲げ片と、各前記収納凹部のうちのいずれかの底面位置と同一の高さ位置の第２折り曲げ個所において、前記第１折り曲げ片の先端側を前記収納凹部の底面下側に位置するように折り曲げられる第２折り曲げ片とを有することを特徴としている。
この構成を採用することによって、被収納物を収納していない場合は折り曲げ片を外方に伸ばしたままの状態にしておくことにより、上下方向に積み重ねたときに互いの収納凹部同士が入り込み、上下でほぼ密着した状態の小さい隙間で積み重ねることができ、空間占有率を小さくすることができる。また、被収納物を収納している場合には、折り曲げ片を第1折り曲げ個所で曲げて、第1折り曲げ片を鉛直下向きに位置するようにし、且つ第２折り曲げ個所で曲げて、収納用トレー底面の内側に第２折り曲げ片が位置するようにできる。したがって、収納用トレーを互い違いにトレーの平面で１８０度回転させて積み重ねなくても、第２折り曲げ片の下面には、下に位置する収納用トレーの外周縁部が当接することにより、十分な隙間を空けて積み重ねることができる。また、第１折り曲げ片が鉛直下向きに延びて外壁面を形成することができるので、被収納物を収納して積み重ねた場合であっても上方の収納用トレーの重量が鉛直下向きに第１折り曲げ片にかかるので、被収納物の重量による変形を防止することができる。
【００１１】
また、前記第２折り曲げ片と、該第２折り曲げ片の上面に位置する前記収納凹部の底面との間には、前記第２折り曲げ片を折り曲げた際に互いに着脱可能に嵌合する嵌合部を設けたことを特徴としてもよい。
この構成によれば、被収納物を収納して積み重ねた場合において、第２折り曲げ片を収納凹部の底面に着脱可能に確実に取り付けておくことができる。このため、被収納物を収納したときに、折り曲げ片の第1折り曲げ個所及び第２折り曲げ個所における折り曲げが元の状態に戻ろうとしてしまうことを防止でき、十分な隙間を開けて積み重ねることができる形状を維持できる。
【００１２】
また、前記嵌合部は、前記第２折り曲げ片に形成され、前記第２折り曲げ片を折り曲げた際に前記収納凹部の底面側に向けて突出する嵌合凸部と、前記収納凹部に形成され、前記嵌合凸部を収納可能な嵌合凹部とを有することを特徴としてもよい。
この構成によれば、第２折り曲げ片と収納凹部の底面との間を容易に着脱可能とすることができ、また製造も容易に行うことができる。
【００１３】
また、前記第１折り曲げ片には、前記第１折り曲げ片を折り曲げた際に下方に向けて延びる強度維持用のリブが1又は複数形成されていることを特徴としてもよい。
この構成によれば、強度維持用のリブにより、被収納物を収納して積み重ねた場合に上方の収納用トレーの重量からの重量による第１折り曲げ片の変形を防止できる。
【００１４】
また、前記第１折り曲げ個所及び前記第２折り曲げ個所には、ミシン目が形成されていることを特徴としてもよい。
この構成によれば、各折り曲げ個所における折り曲げを容易に行うことができる。
【発明の効果】
【００１５】
本発明の収納用トレーによれば、被収納物を収納した状態と、被収納物を収納していない状態とでは、収納用トレーの向きを変えずに積み重ねた収納用トレーの上下間の隙間を調整でき、且つ高い強度を維持できる。
【図面の簡単な説明】
【００１６】
【図１】本発明の収納用トレーの斜視図である。
【図２】収納用トレーの折り曲げ片の側面図である。
【図３】図２の折り曲げ片を折り曲げたところを示す側面図である。
【図４】折り曲げ片を折り曲げた収納用トレーを積み重ねたところを示す側面図である。
【発明を実施するための最良の形態】
【００１７】
以下、本発明の好適な実施の形態を添付図面に基づいて詳細に説明する。
図１は収納用トレーの斜視図、図２及び図３は収納用トレーの折り曲げ片の側面図である。図４は、折り曲げ片を折り曲げた収納用トレーを積み重ねた状態の側面図である。
【００１８】
収納用トレー３０は、ポリプロピレン、ポリスチレン、ＰＥＴ等の平板状の合成樹脂材を平面視四角形状に真空成形加工して凹凸を設けて形成されたものであり、電子部品等の被収納物（図示せず）を収納するための凹みである収納凹部３２が複数形成されている。
本実施形態では、収納用トレー３０は平面視長方形状であるが、平面視正方形状であってもよい。
【００１９】
収納用トレー３０は、被収納物を収納凹部３２に収納した後、複数枚積み重ねられて使用され、この積み重ねた状態で被収納物の保管または運送等がされる。また、収納用トレー３０は、被収納物が取り出された後、再度使用するまで上下の隙間が無いように積み重ねられておく。上下の隙間が無いように積み重ねることで空間占有率を下げることができる。
【００２０】
収納用トレー３０における複数の収納凹部３２の外周を取り囲むように外壁部３３が形成されており、外壁部３３の上端部は、水平方向外側に向けて突出する鍔部３４が形成されている。特許請求の範囲でいう外周縁部の上端は、本実施形態の外壁部３３の上端部に該当する。
【００２１】
長方形状の四辺のうち、２つの短辺における鍔部３４からさらに外方に向け、折り曲げ片４０が形成されている。折り曲げ片４０は、鍔部３４と連続して一体に形成されている。
２つの短辺において、外壁部３３の上端部から所定距離外方に延びた個所までは鍔部３４であり、鍔部３４の先に折り曲げ片４０が形成されている。折り曲げ片４０は、第１折り曲げ個所４３及び第２折り曲げ個所４５において折り曲げ可能となるよう、第１折り曲げ個所４３及び第２折り曲げ個所４５にミシン目が形成されている。
ただし、第１折り曲げ個所４３及び第２折り曲げ個所４５はミシン目に限定することはなく、溝を形成してもよい。
【００２２】
第１折り曲げ個所４３と第２折り曲げ個所４５の間は、第１折り曲げ片４２である。第１折り曲げ片４２の幅ｗ１は、収納凹部３２全体の横幅とほぼ同一幅を有している。したがって、第１折り曲げ片４２の幅ｗ１は、長辺での鍔部３４の突出量の分だけ鍔部３４の幅ｗ２よりも幅狭に形成されている。
また、第１折り曲げ片４２の外方への突出長さＬは、収納凹部３２の高さｈとほぼ同一に形成されている。このため、第１折り曲げ個所４３で鉛直下向きに９０°折り曲げると、第１折り曲げ片４２の先端部（すなわち第２折り曲げ個所４５）は、収納凹部３２の底面位置に到達する。
【００２３】
また、第２折り曲げ個所４５よりも外方側が第２折り曲げ片４４である。第１折り曲げ片４２が鉛直下向きに位置するように曲げられた後、第２折り曲げ個所４５で９０°内側に折り曲げられることで、第２折り曲げ片４４は収納凹部３２の下方に位置し、収納凹部３２の底面に当接する。
【００２４】
また、第２折り曲げ片４４の幅ｗ２は、鍔部３４の幅ｗ２と同一になるように形成されている。すなわち、第２折り曲げ片４４が収納凹部３２の下面に配置されることで、上下方向に積み重ねた場合、第２折り曲げ片４４は下方の収納用トレー３０の鍔部３４の上に載置される。このように、第２折り曲げ片４４の幅を鍔部３４の幅と同一にすることで積み重ねた場合の安定性を良くし、強度を維持することができる。
【００２５】
また、第１折り曲げ片４２には、折り曲げた際に下方に向けて延びる強度維持用のリブ５０が、幅方向に沿って複数形成されている。
リブ５０は、第１折り曲げ片４２を折り曲げない状態においては、下方に向けて凹むような形状であり、収納凹部３２の凹み方向と同じである。すなわち、リブ５０の成形も真空成形によって容易に行うことができる。
【００２６】
このようなリブ５０を第１折り曲げ片４２に形成することによって、第１折り曲げ片４２を鉛直下向きに折り曲げた際に、第１折り曲げ片４２の変形を防止し強度を維持することができる。
なお、強度維持用のリブ５０は、第１折り曲げ片４２に複数形成されることに限定せず、強度が十分維持できれば１つのリブ５０であってもよい。
【００２７】
また、第２折り曲げ片４４と収納凹部３２の底面との間には、互いに着脱可能に嵌合する嵌合部５２が設けられている。このような構成により、第１折り曲げ個所４３及び第２折り曲げ個所４５において素材の弾性力によって第１折り曲げ片４２及び第２折り曲げ片４４が元の水平方向への位置に戻ろうとした場合であっても、嵌合部５２で嵌合することにより、第１折り曲げ片４２及び第２折り曲げ片４４を折り曲げたままの状態で維持することができる。
【００２８】
本実施形態では、嵌合部５２の具体例として、凹凸嵌合できる嵌合凸部と嵌合凹部を形成している。第２折り曲げ片４４には、第２折り曲げ個所４５での折り曲げ時において上方に向けて突出する嵌合凸部５４を設け、収納凹部３２の底面には上方に向けて凹む嵌合凹部５５が形成されている。嵌合凸部５４の径を嵌合凹部５５の径よりもやや大径とすることで、嵌合凸部５４が嵌合凹部５５から簡単に抜けてしまうことを防止できる。また、人手によって簡単に着脱が可能となるように、嵌合状態を余りきつくしないようにすることが好ましい。
【００２９】
図１に示されているように、嵌合凸部５４を平面視円形、嵌合凹部５５を平面視四角形状としてもよい。このようにすれば、嵌合凸部５４の径を嵌合凹部５５の辺の長さよりも大径となるようにしても、嵌合凸部５４と嵌合凹部５５が完全に密着しているわけではないので、着脱が容易となる。
また、嵌合凸部５４の外壁面及び／又は嵌合凹部５５の内壁面に突起（図示せず）を設けてもよい。
【００３０】
第２折り曲げ片４４には、下方に向けて凹む凹部５６が形成されている。凹部５６は、幅方向に延びる溝として形成されている。
また２つの短辺における鍔部３４の内側には、上方に向けて突出する凸部５８が形成されている。凸部５８は、幅方向に延びて形成されている。また、凸部５８は凹部５６内に収容可能な大きさとなっている。
なお、凹部５６及び凸部５８は、図１には図示しているがその他の図面では、他の構造と重なってしまうために省略している。
【００３１】
第１折り曲げ片４２を下方に向けて直角に折り曲げ、第２折り曲げ片４４を水平方向に折り曲げると、凹部５６は上方に向けて凹むように配置される。このとき、凹部５６の真上に凸部５８が位置している。
このため、第１折り曲げ片４２と第２折り曲げ片４４を折り曲げた収納用トレー３０を上下方向に複数積み重ねた際には、下方に位置する収納用トレー３０の凸部５８が上方に位置する収納用トレー３０の凹部５６内に収納され、積み重ねた収納用トレーの位置決めとして作用する。
【００３２】
なお、折り曲げ片は、真空成形時に本来は切断して捨てるべき個所を成形することによって製造することができる。したがって折り曲げ片を成形するにあたり、原材料費等のコストがかさむこともなく、かえって廃棄ロスが減るためにコストダウンにも寄与することができる。
【００３３】
なお、上述してきた実施形態では、折り曲げ片を長方形状の短辺に形成しているが、折り曲げ片を長方形の長辺に形成してもよい。また、収納用トレーを平面視正方形状にすれば、短辺も長辺もないため、いずれか対向する２辺に折り曲げ片を形成すればよい。
【００３４】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００３５】
３０ 収納用トレー
３２ 収納凹部
３３ 外壁部
３４ 鍔部
４０ 折り曲げ片
４２ 第1折り曲げ片
４３ 第1折り曲げ個所
４４ 第２折り曲げ片
４５ 第２折り曲げ個所
５０ リブ
５２ 嵌合部
５４ 嵌合凸部
５５ 嵌合凹部
５６ 凹部
５８ 凸部
【図１】
2017159940.tif 000003
【図２】
2017159940.tif 000004
【図３】
2017159940.tif 000005
【図４】
2017159940.tif 000006